(57)【要約】【課題】発光モジュールの短絡により覚える違和感が小さい照明システムを提供する。【解決手段】この照明システム１００は、マトリクス状に並ぶ複数の区画領域Ｒに面状発光モジュール２を設置して構成されている。区画領域Ｒには、面状発光モジュール２を設置した設置領域Ｒ１と、面状発光モジュール２を設置していない空き領域Ｒ２とがあり、空き領域Ｒ２が設置領域Ｒ１の集団の中に散在するようにしたものである。そして、空き領域Ｒ２に隣接する区画領域Ｒは、設置領域Ｒ１となっている。【選択図】図１
2009110695.tif 000002
【特許請求の範囲】
【請求項１】
マトリクス状に並ぶ複数の区画領域に発光モジュールを設置してなる照明システムであって、
前記区画領域には、発光モジュールを設置した設置領域と、発光モジュールを設置していない空き領域とがあり、
前記空き領域が前記設置領域の集団の中に散在するようにしたことを特徴とする照明システム。
【請求項２】
前記空き領域に、発光モジュールを点灯させるための点灯回路を設けたことを特徴とする請求項１に記載の照明システム。
【請求項３】
前記空き領域に隣接する区画領域は、前記設置領域であることを特徴とする請求項１または２に記載の照明システム。
【発明の詳細な説明】
【技術分野】
【０００１】
本発明は、複数の発光モジュールにより構成される照明システムに関する。
【背景技術】
【０００２】
従来、発光モジュールをマトリクス状に並設してなる照明システムが知られている。例えば特許文献１には、共通基板と、この共通基板上に所定間隔をおいて並べられ、互いに直列に電気接続された多数の有機発光ダイオード（発光モジュール）とを含む面照明装置が開示されている。
【特許文献１】特開２００４−１３４３８５号公報
【発明の開示】
【発明が解決しようとする課題】
【０００３】
上記のような照明装置では、発光モジュールが短絡した場合、発光面のなかで、その短絡箇所のみが消灯状態になり、発光面に新たに形成された照明の欠損部分（非照明部分）がよく目立つようになる。これにより、照明システムを見た者が発光モジュールの短絡による違和感を覚えやすい。
【０００４】
本発明は、上記のような課題を解決するためになされたものであり、発光モジュールの短絡により覚える違和感が小さい照明システムを提供することを目的とする。
【課題を解決するための手段】
【０００５】
請求項１の発明は、マトリクス状に並ぶ複数の区画領域に発光モジュールを設置してなる照明システムであって、前記区画領域には、発光モジュールを設置した設置領域と、発光モジュールを設置していない空き領域とがあり、前記空き領域が前記設置領域の集団の中に散在するようにしたことを特徴とするものである。
【０００６】
請求項２の発明は、請求項１に記載の照明システムにおいて、前記空き領域に、発光モジュールを点灯させるための点灯回路を設けたことを特徴とするものである。
【０００７】
請求項３の発明は、請求項１または２に記載の照明システムにおいて、前記空き領域に隣接する区画領域は、前記設置領域であることを特徴とするものである。
【発明の効果】
【０００８】
請求項１の発明によれば、発光モジュールを設置しない空き領域を予め意図的に設定しているので、当該照明システムの発光面には当初から照明の欠損部分（非照明部分）が存在する。そして、さらに、空き領域が設置領域の集団の中に散在するようにしたので、発光面には上記非照明部分がバランス良く配されている。これにより、発光モジュールが短絡したとしても、その短絡により発光面に新たに形成される非照明部分が目立ちにくく、照明システムを見た者が発光モジュールの短絡により覚える違和感が十分に小さくなる。
【０００９】
なお、上記「マトリクス状に並ぶ」とは、縦横に並ぶ場合のみならず、斜めにクロスするように並ぶ場合も含んでいる。
【００１０】
請求項２の発明によれば、発光モジュールを点灯させるための点灯回路を、デッドスペースである空き領域に設けることで、点灯回路を例えば区画領域の外側に設ける場合に比べて、当該照明システムの占有面積を小さくすることができる。
【００１１】
請求項３の発明によれば、空き領域同士が隣接するのを防ぐことができるので、非照明部分が連続することで当該非照明部分が目立つのを防ぐことができる。これにより、照明システムを見た者が大きな違和感を覚えるのを防ぐことができる。また、空き領域に点灯回路を設ける場合、回路同士が近接することに起因するノイズの発生を防ぐことができる。
【発明を実施するための最良の形態】
【００１２】
以下、本発明の実施形態を図面に基づいて説明する。
【００１３】
図１は、本発明の一実施形態による照明システムの全体構成を示した平面図であり、（ａ）は全ての面状発光モジュールが点灯している状態の平面図、（ｂ）はいくつかの面状発光モジュールが短絡している状態の平面図である。また、図２は、図１（ａ）に示した照明システムの面状発光型照明器具を拡大して示した平面図である。また、図３は、面状発光モジュールの構成を示した斜視図である。まず、図１（ａ）および図２を参照して、本実施形態の照明システム１００の全体構成について説明する。
【００１４】
本実施形態の照明システム１００は、例えばホテルのロビーの天井に設置されて、対向する床面を照らすものである。この照明システム１００は、図１（ａ）に示すように、縦横に並設された９つの面状発光型照明器具Ａ〜Ｉと、これらを制御する図略の制御装置とにより構成されている。なお、図１に示す照明システム１００では、図１の紙面表面側が当該照明システム１００の発光面となっている。
【００１５】
各面状発光型照明器具Ａ〜Ｉの基本構成は、ほぼ同一であるので、以下、面状発光型照明器具Ａの構成について図２を参照して説明する。
【００１６】
面状発光型照明器具Ａは、図２に示すように、一枚の取付用基板１を有している。この取付用基板１には、縦１１行×横１２列のマトリクス状に並ぶ複数（１３２個）の区画領域Ｒが設定されており、それらの区画領域Ｒに、面状発光モジュール２が設置されるようになっている。
【００１７】
なお、本実施形態では、区画領域Ｒを、区分けされた仮想領域としているが、例えば取付用基板１に形成した凹部や、取付用基板１の上面に設置した仕切り板等で四方を囲まれてなる収納部であってもよい。
【００１８】
ここで、図３を参照して、上記面状発光モジュール２の構成について説明する。
【００１９】
この面状発光モジュール２は、図３に示すように、基板２１と、陽極電極２２と、有機発光層２３と、陰極電極２４と、封止層２５と、接続用導体２６とを含んでいる。
【００２０】
基板２１は、例えばガラス材のような透光性を有する絶縁材料からなるものである。この基板２１には、後述する陰極電極２４の導電パターンに連続した導電パターンとして形成されるとともに、電線を介して直流電源に接続される端子が設けられている。
【００２１】
陽極電極２２は、例えばインジウム・すず酸化物（Indium Tin Oxide：ITO）のような透光性を有する導電材料からなり、基板２１上に設けられている。この陽極電極２２は、電線を介して直流電源に電気的に接続される端子としての機能も有している。
【００２２】
有機発光層２３は、陽極電極２２上に設けられる有機薄膜であり、厚さ方向に通電されることにより発光するようになっている。
【００２３】
陰極電極２４は、例えば金属製の導電パターンからなり、陽極電極２２とで有機発光層２３をその厚さ方向に挟むように設けられている。
【００２４】
封止層２５は、例えばシリコン樹脂等からなり、陰極電極２４の上面および側面と、有機発光層２３の側面とを覆うような形状に形成されている。
【００２５】
接続用導体２６は、例えばクロムメッキ等によって形成されるものであり、当該接続用導体２６の太幅部２６ａおよび細幅部２６ｂは、封止層２５で覆われることなく外部に露出している。
【００２６】
そして、本実施形態の照明システム１００では、面状発光モジュール２を設置しない区画領域Ｒを予め意図的に設定している。
【００２７】
すなわち、図１および図２に示すように、面状発光モジュール２が設置されている区画領域Ｒを設置領域Ｒ１とし、面状発光モジュール２が設置されていない区画領域Ｒを空き領域Ｒ２とするとき、空き領域Ｒ２が設置領域Ｒ１の集団の中に散在するように、面状発光モジュール２を配している。
【００２８】
具体的には、図２に示す面状発光型照明器具Ａでは、２行目の７列目、４行目の２列目、５行目の９列目、６行目の５列目、８行目の１０列目、および、１０行目の４列目の６個の区画領域Ｒが空き領域Ｒ２となっており、面状発光モジュール２が設置されていない。そして、上記６個以外の区画領域Ｒは、面状発光モジュール２が設置された設置領域Ｒ１となっている。
【００２９】
また、図２に示すように、空き領域Ｒ２に隣接する周囲の区画領域Ｒは、設置領域Ｒ１となっており、空き領域Ｒ２同士が隣接していない。
【００３０】
なお、他の面状発光型照明器具Ｂ〜Ｉにおいても、それぞれ、複数（本実施形態では６個）の区画領域Ｒが空き領域Ｒ２となっているとともに、空き領域Ｒ２に隣接する区画領域Ｒが設置領域Ｒ１となっている。
【００３１】
また、空き領域Ｒ２には、面状発光モジュール２を点灯させるための点灯回路３が設置されている。本実施形態では、空き領域Ｒ２を囲むように隣接する８つの設置領域Ｒ１の各々に設置された面状発光モジュール２を点灯させるための８つの点灯回路３が、当該空き領域Ｒ２に設けられている。なお、空き領域Ｒ２に設ける点灯回路３の数は、この限りではない。
【００３２】
この点灯回路３は、図示しないが、商用電源を整流し、これを面状発光モジュール２に供給するものであり、商用電源の交流出力を全波整流するダイオードブリッジと、このダイオードブリッジの出力端間に接続された例えばＦＥＴからなるスイッチング素子、インダクタおよびコンデンサの直列回路と、インダクタおよびコンデンサの直列回路の両端間に接続されたダイオードと、コンデンサの両端電圧すなわち直流電源の出力電圧を、スイッチング素子をオンオフ制御することにより制御する駆動／制御回路とを備えた、いわゆるバック・コンバータからなる。
【００３３】
そして、上記空き領域Ｒ２からは、設置領域Ｒ１と異なり光の照射が行われないため、当該照明システム１００の周囲の者は、当該空き領域Ｒ２を、発光面に形成された照明の欠損部分（非照明部分）として視認する。また、照明システム１００と対向する床面には、空き領域Ｒ２に略対応するように、微かな暗部が形成されている。
【００３４】
ところで、照明システム１００において、面状発光モジュール２が短絡することがある。この場合、その短絡した面状発光モジュール２の設置領域Ｒ１が消灯状態となり、照明システム１００の発光面に新たに照明の欠損部分（非照明部分）が形成されることになる。また、照明対象である床面の対応部分にも、新たな暗部が形成されることになる。
【００３５】
次に、図１（ａ），（ｂ）を参照して、本実施形態の照明システム１００における面状発光モジュール２の短絡状態で覚える違和感の大きさについて説明する。
【００３６】
まず、図４に示す比較例の照明システム２００における面状発光モジュールの短絡状態で覚える違和感の大きさについて述べる。なお、この比較例による照明システム２００では、９つの面状発光型照明器具Ａ´〜Ｉ´における全ての区画領域Ｒが、面状発光モジュールを設置した設置領域Ｒ１となっており、本実施形態の空き領域Ｒ２は設定されていない。また、図１（ｂ）および図４（ｂ）では、面状発光モジュールが短絡した区画領域Ｒを、短絡領域として符号Ｒ３で示しており、図４の照明システム２００における短絡領域Ｒ３の数および配置位置は、図１のものと同じである。
【００３７】
図４（ａ）に示す照明システム２００の短絡前の状態と、図４（ｂ）に示す短絡状態とを見比べると、新たに形成された短絡領域Ｒ３が目立ち、短絡状態の照明システム２００に対して大きな違和感を覚える。従って、比較例の照明システム２００をホテルのロビーの天井に設置した場合、当該照明システム２００を見上げた者が、面状発光モジュール２の短絡による違和感を覚えるであろうことがわかる。
【００３８】
また、床面に新たに形成された短絡領域Ｒ３に対応する暗部も目立つため、ここでも面状発光モジュール２の短絡による違和感を覚える。
【００３９】
これに対して、図１（ａ）に示す照明システム１００の短絡前の状態と、図１（ｂ）に示す短絡状態とを見比べると、短絡状態の照明システム１００に対して大きな違和感を覚えない。これは、予め意図的に設定された空き領域Ｒ２を設置領域Ｒ１の集団の中に散在させることによって、新たに形成された短絡領域Ｒ３が目立たなくなっていることによるものである。従って、ホテルのロビーの天井に設置した本実施形態の照明システム１００を見上げた者が、面状発光モジュール２の短絡による違和感を覚えにくいことがわかる。
【００４０】
また、床面に新たに形成された短絡領域Ｒ３に対応する暗部は、床面の空き領域Ｒ２に対応する暗部によって目立たなくなっているため、これにおいても面状発光モジュール２の短絡による違和感を覚えにくくなっている。
【００４１】
本実施形態では、上記のように、面状発光モジュール２を設置しない空き領域Ｒ２を予め意図的に設定しているので、当該照明システム１００の発光面には当初から照明の欠損部分（非照明部分）が存在する。そして、さらに、空き領域Ｒ２が設置領域Ｒ１の集団の中に散在するようにしたので、発光面には上記非照明部分がバランス良く配されている。これにより、面状発光モジュール２が短絡したとしても、その短絡により発光面に新たに形成される非照明部分（短絡領域Ｒ３）が目立ちにくく、照明システム１００を見た者が面状発光モジュール２の短絡により覚える違和感が十分に小さくなる。
【００４２】
また、本実施形態では、上記のように、面状発光モジュール２を点灯させるための点灯回路３を、デッドスペースである空き領域Ｒ２に設けることで、点灯回路３を例えば区画領域Ｒの外側に設ける場合に比べて、当該照明システム１００の占有面積を小さくすることができる。
【００４３】
また、本実施形態では、上記のように、空き領域Ｒ２に隣接する区画領域Ｒが設置領域Ｒ１となるようにしたので、空き領域Ｒ２同士が隣接するのを防ぐことができる。これにより、非照明部分が連続することで当該非照明部分が目立つのを防ぐことができるので、照明システム１００を見た者が大きな違和感を覚えるのを防ぐことができる。また、空き領域Ｒ２に点灯回路３を設ける場合、回路３同士が近接することに起因するノイズの発生を防ぐことができる。
【００４４】
なお、上記実施形態では、本発明を、ホテルのロビーの天井に設置した照明システムに適用する例について示したが、天井以外の壁面等に設置した照明システムにも適用可能である。また、屋内以外の例えばビルの外壁面に設置した照明システムにも適用可能である。
【００４５】
また、上記実施形態では、空き領域Ｒ２に点灯回路３を設けたが、点灯回路３以外の制御装置や、例えば補光機能を有する発光ダイオード等の点状光源を設けてもよい。
【００４６】
また、面状発光モジュール２を設置する区画領域Ｒを縦横に並ぶように設定したが、これに限らず、設置領域Ｒが斜めにクロスするように並ぶように設定してもよい。
【図面の簡単な説明】
【００４７】
【図１】本発明の一実施形態による照明システムの全体構成を示した平面図であり、（ａ）は全ての面状発光モジュールが点灯している状態の平面図、（ｂ）はいくつかの面状発光モジュールが短絡している状態の平面図である。
【図２】図１（ａ）に示した照明システムの面状発光型照明器具を拡大して示した平面図である。
【図３】面状発光モジュールの構成を示した斜視図である。
【図４】比較例による照明システムの全体構成を示した平面図であり、（ａ）は全ての面状発光モジュールが点灯している状態の平面図、（ｂ）はいくつかの面状発光モジュールが短絡している状態の平面図である。
【符号の説明】
【００４８】
２  面状発光モジュール（発光モジュール）
３  点灯回路
１００  照明システム
Ｒ  区画領域
Ｒ１  設置領域
Ｒ２  空き領域
【図１】
2009110695.tif 000003
【図２】
2009110695.tif 000004
【図３】
2009110695.tif 000005
【図４】
2009110695.tif 000006